(57)【特許請求の範囲】
【請求項１】
表示部とハードキーを対にして表示・操作キーとし、複数の表示・操作キーに回線選択キーやオートダイヤルキーを設定して１ページ画面を形成するとともに、前記複数の表示・操作キーを兼用して複数ページ画面に切替え可能な表示部を備えた端末装置であって、
前記複数の表示・操作キーのいずれかに、任意のページへの画面切替え用のキー名称であるダイレクトキー情報を設定する設定入力手段と、
前記設定入力手段から入力されたダイレクトキー情報により、画面切替え用のキー名称が表示された表示部と対となるハードキーが操作されたときに前記ダイレクトキー情報を出力するキーインタフェース手段と、
前記複数ページ画面のページ番号に対応した複数のページデータを記憶する表示データ記憶手段と、
前記ページデータを表示データに変換し、前記表示・操作キーの表示部に前記表示データを供給する表示駆動手段と、
前記キーインタフェース手段から出力される前記ダイレクトキー情報よりページデータを特定し、前記表示データ記憶手段から予め記憶されている全ページデータの中から該当するページデータを前記表示駆動手段に供給する表示制御手段と、を備え、
前記ダイレクトキー情報が設定された表示・操作キーが操作された場合に、前記表示駆動手段により表示されたページ画面中であって、発信相手先名称であるオートダイヤルキー名称が表示された表示部と対になるハードキーを操作することでワンタッチ発信が可能であることを特徴とする端末装置。
【発明の詳細な説明】
【０００１】
【発明の属する技術分野】
本発明は表示・操作キーを兼用して複数ページに切替え可能な表示部を備えた端末装置に係り、特に表示・操作キーのダイレクトキー操作により、使用頻度の高い特定ページへワンタッチで復帰可能な端末装置に関する。
【０００２】
【従来の技術】
従来の端末装置において、表示部にメニュー画面のようなページ画面を切替えるページ切替えキーを一括管理した表示画面を備え、複数の回線選択キーやオートダイヤルキーが設定された任意ページ画面に切替える場合、最初にメニューボタンを操作して表示画面をメニュー画面に切替えた後、メニュー画面に表示されたページ切替えキーを選択して目的とするページ画面を表示させるものは知られている。
【０００３】
また、従来の端末装置において、ページ画面の選択にページ送りキーおよびページ戻りキーを設け、ページ画面を１ページずつ切替えて目的とするページ画面を表示させるものも知られている。
【０００４】
【発明が解決しようとする課題】
従来の端末装置は、メニュー画面を表示させ、メニュー画面に表示されたページ切替えキーを選択して所望のページ画面を表示させことはできるが、ディーリング端末装置のように、ページ画面を用いて顧客にダイヤル発信する際に１秒も無駄にできない使用形態の場合には、端末装置の扱い者が目的とするページ画面に切替えるまでの操作が２度のキー選択となるため、作業効率の低下を招く課題がある。
【０００５】
また、ページ送りキーおよびページ戻りキーを設けた従来の端末装置は、表示画面を１ページずつ切替えるため、ページ画面が多い場合には、目的とするページ画面を表示させるまでのキー操作回数が多くなり、操作性ならびに作業効率の低下を招く課題がある。
【０００６】
この発明はこのような課題を解決するためになされたもので、その目的はページ画面が多くても使用頻度の高い特定ページ画面をワンタッチ操作で表示することができる操作性に優れ、作業効率の高い端末装置を提供することにある。
【０００７】
【課題を解決するための手段】
前記課題を解決するためこの発明に係る端末装置は、表示部とハードキーを対にして表示・操作キーとし、複数の表示・操作キーに回線選択キーやオートダイヤルキーを設定して１ページ画面を形成するとともに、前記複数の表示・操作キーを兼用して複数ページ画面に切替え可能な表示部を備えた端末装置であって、前記複数の表示・操作キーのいずれかに、任意のページへの画面切替え用のキー名称であるダイレクトキー情報を設定する設定入力手段と、前記設定入力手段から入力されたダイレクトキー情報により、画面切替え用のキー名称が表示された表示部と対となるハードキーが操作されたときに前記ダイレクトキー情報を出力するキーインタフェース手段と、前記複数ページ画面のページ番号に対応した複数のページデータを記憶する表示データ記憶手段と、前記ページデータを表示データに変換し、前記表示・操作キーの表示部に前記表示データを供給する表示駆動手段と、前記キーインタフェース手段から出力される前記ダイレクトキー情報よりページデータを特定し、前記表示データ記憶手段から予め記憶されている全ページデータの中から該当するページデータを前記表示駆動手段に供給する表示制御手段と、を備え、前記ダイレクトキー情報が設定された表示・操作キーが操作された場合に、前記表示駆動手段により表示されたページ画面中であって、発信相手先名称であるオートダイヤルキー名称が表示された表示部と対になるハードキーを操作することでワンタッチ発信が可能であることを特徴とする。
【０００８】
この発明に係る端末装置は、表示器とハードキーを対にして表示・操作キーとし、複数の表示・操作キーに回線選択キーやオートダイヤルキーを設定して１ページ画面を形成するとともに、複数の表示・操作キーを兼用して複数ページ画面に切替え可能な表示部を備えた端末装置であって、複数ページ画面の表示・操作キーに、使用頻度の高い特定ページ画面へワンタッチで復帰可能なダイレクトキーを設定するキー設定手段を備えたので、複数の任意ページ画面にダイレクトキーを設定し、ダイレクトキーをワンタッチ操作より、任意のページ画面から使用頻度の高い特定ページ画面へ復帰することができ、操作性に優れ、作業効率を向上させることができる。
【００１０】
この発明に係るキー設定手段は、ダイレクトキー名称を入力する設定入力手段と、キーインタフェース手段と、キーインタフェース手段から供給されるダイレクトキー名称を処理する表示制御手段と、ページ番号に対応した複数のページデータを記憶する表示データ記憶手段と、表示データ記憶手段に記憶されたページデータを表示データに変換し、表示・操作キーの表示器に表示データを駆動する表示駆動手段とを備えたので、任意のページ番号のページデータにダイレクトキーを設定し、任意ページ画面の表示・操作キーにダイレクトキーを表示するとともに、表示されたダイレクトキーをワンタッチ操作することにより、ダイレクトキーに表示されたページ画面を表示することができ、操作性に優れ、作業効率を向上させることができる。
【００１７】
【発明の実施の形態】
以下、この発明の実施の形態を添付図面に基づいて説明する。図１はこの発明に係る端末装置が適用される構内交換システムの構成図である。図１において、構内交換システム１は、構内交換機２と、構内交換機２に内線端末として接続される端末装置３（Ｅ１〜Ｅｎ）と、構内交換機２に接続され、オートダイヤルの相手先名称や個人名、回線選択のために収容する回線を複数のページデータとして端末装置３（Ｅ１〜Ｅｎ）にダウンロードするデータ管理装置４とを備える。
【００１８】
構内交換機２は、交換接続動作を行なう通話路スイッチＳＷ、通話路スイッチＳＷに通話路を介して接続される内線回路ＤL1〜ＤLn，内線回路ＩL1と、通話路スイッチＳＷに通話路を介して接続されるトランクＴR1〜ＴRk、通話路スイッチＳＷと制御バスＢＬで接続され、マイクロプロセッサを基本に各種処理機能、制御機能、シーケンス機能を備え、構内交換機２全体の動作を制御する制御装置ＣＥと、制御バスＢＬに接続され、ＲＡＭ、ＲＯＭ等で構成された大容量のメモリを備え、交換動作制御プログラムなどの各種プログラム、交換接続動作に必要な各種データを格納する記憶装置ＭＥとを備える。
【００１９】
内線回路ＤL1〜ＤLnは、それぞれ内線ＬI1〜ＬInを介して端末装置Ｅ１〜Ｅｎと接続する。また、内線回路ＩL1は、内線ＬIT、ターミナルアダプタＴAを介してデータ管理装置４に接続する。トランクＴR1〜ＴRkは、局線または専用線等の回線Ｌ1〜Ｌkを収容する。
【００２０】
構内交換機２は、通話路スイッチＳＷの交換動作を制御することにより、任意の内線回路ＤL1〜ＤLnと任意のトランクＴR1〜ＴRk間を接続し、端末装置Ｅ１〜Ｅｎと回線Ｌ1〜Ｌkの外線通話（または、外線発信）を実現する。
【００２１】
端末装置３（Ｅ１〜Ｅｎ）は、銀行や証券会社に設置し、為替、証券などの先物金融取引を行なう際に内線電話機として使用し、オートダイヤルの相手先名称や個人名、回線選択のために収容する回線を複数のページ画面に切替えて表示し、ワンタッチ操作でダイヤル発信可能な表示部を備える。
【００２２】
また、端末装置３（Ｅ１〜Ｅｎ）は、表示部に表示器とハードキーを対とした多くの表示・操作キーを備え、任意の表示・操作キーに複数のページ画面をワンタッチ操作で切替え可能なダイレクトキーを設定するキー設定手段を備える。
【００２３】
データ管理装置４は、端末装置３（Ｅ１〜Ｅｎ）の表示部に表示可能な複数ページ分の共通のページデータを記憶し、共通のページデータをターミナルアダプタＴＡ→内線回路ＩL1→通話路スイッチＳＷ→内線回路ＤL1〜ＤLnの経路で全ての端末装置Ｅ１〜Ｅｎにダウンロードして記憶させる。
【００２４】
図２はこの発明に係る端末装置の一実施の形態要部盤面図である。図２において、端末装置３は、盤面に表示部５、ハンドセット６、ダイヤルキー７、機能キー７ｘを備える。表示部５は、ＬＣＤ（液晶素子）等の表示器８ａおよび表示器８ａと対にした押しボタン等のハードキー８ｂで構成した表示・操作キー８を複数の表示キーＫ１〜Ｋ２０として１ページ画面を形成する。なお、表示部５は、表示キーＫ１〜Ｋ２０の各表示・操作キー８（表示器８ａおよびハードキー８ｂ）を兼用して複数ページ分のページ画面に切替え可能であり、表示部５に表示された複数の任意ページ画面の表示・操作キー８（Ｋ１〜Ｋ２０）に、使用頻度の高い特定ページ画面（例えば、１ページ画面）へワンタッチで復帰（切替え）可能なダイレクトキー情報（名称）（例えば、表示・操作キー８であるＫ２０にダイレクトＤ１：「ダイレクトＤ１」は、ダイレクトキーを意味する文字情報、Ｄ１の「１」は、１ページへの復帰を意味するページ番号情報）を設定する。
【００２５】
また、ダイレクトキー名称（表示・操作キー８）は、Ｋ１９に任意のページ画面への切替えのためのダイレクトＤｎを設定するように、同一ページ画面に複数のダイレクトキー名称を設定することができる。なお、表示・操作キー８にダイレクトキー名称を設定するキー設定手段については図３で説明する。
【００２６】
表示・操作キー８の表示器８ａには、オートダイヤルキーの相手先名称（○○銀行）、回線選択キーの回線名称（ブローカ回線Ｌ１）、ページ番号（ダイレクトＤ１）等をキャラクタやグラフィック表示で可能とする。
【００２７】
ダイヤルキー７および機能キー７ｘは、ダイヤル発信、表示・操作キー８へのページ番号（ダイレクトＤ１）等のダイレクトキー名称を設定のために使用する。機能キー７ｘは、表示部５の表示・操作キー８（Ｋ１〜Ｋ２０）を選択する左右上下のスクロールキー７ａ，７ｂ，７ｃ，７ｄ、ダイレクトキー設定キー７ｅ、取消キー７ｆ、ページ画面のスクロールのための前ページキー７ｇ，後ページキー７ｈ、各ページ画面をワンタッチで選択（切替え）可能なメニュー画面を表示するメニューキー７iを備える。
【００２８】
ページ画面の表示・操作キー８（Ｋ１〜Ｋ２０）にダイレクトキー名称（例えば、ダイレクトＤ１）を設定する際、ダイレクトキー名称を設定するページ画面に切替えるキー操作を前ページキー７ｇと後ページキー７ｈ、またはメニューキー７ｉを用いて行なう。
【００２９】
ページ画面が表示部５に表示されると、設定キー７ｅを操作してダイレクトキー名称設定とし、左右上下のスクロールキー７ａ，７ｂ，７ｃ，７ｄを操作してＫＩ〜Ｋ２０の中からダイレクトキー名称を設定する表示・操作キー８（例えば、Ｋ２０）を選択する。
【００３０】
設定キー７ｅが操作され、例えば、ダイヤルキー７がダイレクトキー設定モードになっているので、「０」〜「９」キーおよび「＊」，「＃」キーを用いてＫ２０（表示・操作キー８）に「ダイレクトＤ１」を入力する。
【００３１】
図３はこの発明に係る端末装置のキー設定手段の一実施の形態要部ブロック構成図である。図３において、キー設定手段９は、表示制御手段１０、設定入力手段１１、キーインタフェース手段１２、表示データ記憶手段１３、表示駆動手段１４、表示データ受信手段１５を備え、表示部５の表示・操作キー８にダイレクトキーを設定し、表示・操作キー８の表示器８ａに設定（表示）されたダイレクトキー名称（例えば、ダイレクトＤ１表示）と対となるハードキー８ｂをワンタッチ操作することにより、表示部５のページ画面をダイレクトキー名称（例えば、ダイレクトＤ１表示）に設定されたページ画面（例えば、１ページ）に切替えることができる。
【００３２】
表示制御手段１０は、マイクロプロセッサを基本に各種演算機能、処理機能、シーケンス機能等を備え、キーインタフェース手段１２から供給されるページ番号情報（例えば、５ページ）に基づいて表示データ記憶手段１３から予め記憶されている全ページデータの中から該当するページデータ（５ページ）を読み出し、ページデータを表示駆動手段１４に供給する。
【００３３】
また、表示制御手段１０は、ダイレクトキー名称が表示器８ａに書き込まれた時、書き込まれた表示器８ａの表示・操作キー８を判断し、表示・操作キー８のダイレクトキー（ハードキー８ｂ）が操作された時に出力されるダイレクトキー情報に基づいてダイレクトキー名称のページ番号を特定し、ページ番号を表示データ記憶手段１３に供給する。
【００３４】
さらに、表示制御手段１０は、キーインタフェース手段１２から供給されるキー番号情報（例えば、Ｋ２０）に基づいて表示データ記憶手段１３のページデータ（例えば、５ページ）のＫ２０位置に該当するメモリエリアを特定するとともに、Ｋ２０位置情報を表示駆動手段１４に供給する。
【００３５】
また、表示制御手段１０は、キーインタフェース手段１２から供給されるダイレクトキー情報に基づいて「ダイレクトＤ１」の文字情報を表示データ記憶手段１３のＫ２０位置に該当するメモリエリアに記憶させる制御を実行するとともに、Ｋ２０に対応した「ダイレクトＤ１」の文字情報を表示駆動手段１４に供給する。
【００３６】
さらに、表示制御手段１０は、キーインタフェース手段１２から供給されるダイレクトキー情報からダイレクトキー名称が書き込まれる表示・操作キー８（例えば、「ダイレクトＤ１」情報に対応した行列のマトリクス情報）を判断し、当該ダイレクトキー情報からページデータ（ページ番号：１ページ）を特定し、表示データ記憶手段１３からページデータ（１ページ）を読み出して表示駆動手段１４に供給する。
【００３７】
また、表示制御手段１０は、図１に示すデータ管理装置４からダウンロードされるページデータを受信する表示データ受信手段１５から供給されるページデータを表示データ記憶手段１３に記憶させる制御を実行する。
【００３８】
設定入力手段１１は、図２に示すダイヤルキー７および機能キー７ｘを備え、ページ番号情報、キー番号情報、文字情報のキー情報をキーインタフェース手段１２に供給する。
【００３９】
キーインタフェース手段１２は、設定入力手段１１のキー情報か表示・操作キー８のハードキー８ｂのキー情報かを判定し、キー情報の波形整形、チャタリング防止等を施した後、キー情報を表示制御手段１０に供給する。
【００４０】
表示データ記憶手段１３は、ＲＡＭ、ＥＰＲＯＭ、ＦＭ（フラッシュメモリ）等の書替え可能なメモリで構成し、表示制御手段１０からダイレクトキー情報に対応したページ番号が特定された時、指定ページ番号に対応したページデータをメモリ領域から出力して表示制御手段１０に提供する。
【００４１】
また、表示データ記憶手段１３は、表示制御手段１０から供給されるページ番号情報、キー番号情報、文字情報および該当するページデータをページ番号と対応付けてメモリ領域に記憶する。
【００４２】
表示駆動手段１４は、画面コントローラで構成し、表示制御手段１０から供給される位置情報、ダイレクトキー文字情報（例えば、「ダイレクトＤ１」およびページデータをキャラクタやグラフィックの表示データに変換し、表示・操作キー８の表示器８ａ（例えば、ＬＣＤ表示器）に適した表示データを表示器８ａに供給する。
【００４３】
表示データ受信手段１５は、データ受信回路で構成し、図１に示すデータ管理装置４から構内交換機２を介してダウンロードされる端末装置３の表示部５に表示可能な複数ページ分のページデータを受信し、表示制御手段１０の制御により、複数ページ分のページデータを表示データ記憶手段１３に記憶させる。
【００４４】
図４はこの発明に係るページ画面切替えのページ送り／ページ戻しの説明図である。図４において、ページ画面１６は、Ｐ１ページ〜Ｐｎページのページデータを備え、図２に示す前ページキー７ｇおよび後ページキー７ｈを操作することにより、表示部５に表示するページ画面を切替え可能である。
【００４５】
前ページキー７ｇを１回操作する毎に、ページ画面の減少する方向へ１ページずつ（例えば、Ｐｎ→…→Ｐ２→Ｐ１）順送りに切替えることができる。Ｐ１ページから再度前ページキー７ｇを操作すると、Ｐｎページに切替わる。従って、Ｐ１０ページが表示されている状態からＰ３ページに切替えて表示するためには、前ページキー７ｇを７回操作する必要がある。
【００４６】
一方、後ページキー７ｈを１回操作する毎に、ページ画面の増加する方向へ１ページずつ（例えば、Ｐ１→Ｐ２→…→Ｐｎ）順送りに切替えることができる。Ｐｎページから再度後ページキー７ｈを操作すると、Ｐ１ページに切替わる。従って、Ｐ１ページが表示されている状態からＰ７ページに切替えて表示するためには、後ページキー７ｈを６回操作する必要がある。前ページキー７ｇおよび後ページ７ｈは、ページ画面にダイレクトキーを設定する時に有効に利用する。
【００４７】
図５はこの発明に係るページ画面切替えのメニューキーによるページ切替えの説明図である。図５において、メニュー画面１７は、Ｐ１ページ〜Ｐｎページのページ画面１６の内容を一括して表示し、図２に示すメニューキー７ｉを操作することにより、メニュー画面１７を表示部５に表示することができる。
【００４８】
また、メニュー画面１７に表示されたページキーＰ１〜Ｐｎを１回操作するだけで、Ｐ１ページからＰｎページの目的とするページ画面を表示することができる。従って、目的とする画面ページ（Ｐｋページ）を表示するために、メニューキー７ｉを操作してメニュー画面１７を表示させた後、ページキーＰｋを操作するだけの２回操作で目的画面を表示することができる。メニューキー７ｉを用いることにより、目的とするページ画面を２回の操作で表示できるが、端末装置３の扱い者は、現在表示されているページ画面での運用のケースが多く、一旦メニュー画面１７を表示しなければならないため、キー操作回数が多くなってしまう。なお、メニューキー７ｉは、ページ画面にダイレクトキーを設定する時に有効に利用する。
【００４９】
図６はこの発明に係るページ画面切替えのダイレクトキーによるページ切替えの説明図である。図６において、ページ画面１６は、Ｐ１ページ〜Ｐｎページのページデータと、Ｐ２ページ画面およびＰｎページ画面にダイレクトキーＤ１、Ｐ３ページ画面にダイレクトキーＤｎを備え、例えばＰ２ページ画面またはＰｎページ画面が表示されており、Ｐ１ページ画面に切替えたい場合、またはＰ３ページ画面が表示されており、Ｐｎページ画面に切替えたい場合には、表示ページ画面上のダイレクトキーＤ１またはダイレクトキーＤｎを１回操作すると、目的とするＰ１ページ画面またはＰｎページ画面に直接切替えて表示することができる。
【００５０】
このように、この発明に係る端末装置は、表示器８ａとハードキー８ｂを対にして表示・操作キー８とし、複数の表示・操作キー８に回線選択キーやオートダイヤルキーを設定して１ページ画面を形成するとともに、複数の表示・操作キー８を兼用して複数ページ画面に切替え可能な表示部５を備えた端末装置３であって、複数ページ画面の表示・操作キー８に、使用頻度の高い特定ページ画面へワンタッチで復帰可能なダイレクトキーを設定するキー設定手段９を備えたので、複数の任意ページ画面にダイレクトキーを設定し、ダイレクトキーをワンタッチ操作より、任意のページ画面から使用頻度の高い特定ページ画面へ復帰することができ、操作性に優れ、作業効率を向上させることができる。
【００５１】
また、この発明に係るキー設定手段９は、ダイレクトキー名称を入力する設定入力手段１１と、キーインタフェース手段１２と、キーインタフェース手段１２から供給されるダイレクトキー名称を処理する表示制御手段１０と、ページ番号に対応した複数のページデータを記憶する表示データ記憶手段１３と、表示データ記憶手段１３に記憶されたページデータを表示データに変換し、表示・操作キー８の表示器８ａに表示データを駆動する表示駆動手段１４とを備えたので、任意のページ番号のページデータにダイレクトキーを設定し、任意ページ画面の表示・操作キー８にダイレクトキーを表示するとともに、表示されたダイレクトキーをワンタッチ操作することにより、ダイレクトキーに表示されたページ画面を表示することができ、操作性に優れ、作業効率を向上させることができる。
【００５２】
さらに、この発明に係る表示制御手段１０は、ダイレクトキー名称が書き込まれる表示器の表示・操作キー８を判断し、表示・操作キー８のダイレクトキーが操作された時に出力されるダイレクトキー情報に基づいてページ番号を特定するので、ダイレクトキーで設定したページ画面へ表示を切替える制御を実行することができ、利便性を向上させることができる。
【００５３】
また、この発明に係る表示データ記憶手段１３は、表示制御手段１０からダイレクトキー情報に対応したページ番号が特定された時、指定ページ番号に対応したページデータを出力するので、ダイレクトキーに対応したページデータを容易に表示させることができ、単純な構成で利便性を向上させることができる。
【００５４】
次に、端末装置のページ画面切替え方法の動作フローについて説明する。図７はこの発明に係るページ画面切替え方法の動作フロー図である。なお、図１〜図３を参照して説明する。ステップＳ１では、複数ページ分のページデータをインストールして記憶する。なお、ステップＳ１の動作は、表示データ受信手段１５、表示制御手段１０および表示データ記憶手段１３が実行する。
【００５５】
ステップＳ２では、ページ画面に指定するページ画面へ復帰するダイレクトキーを登録する。なお、ステップＳ２の動作は、設定入力手段１１、表示制御手段１０、キーインタフェース手段１２、表示データ記憶手段１３、表示駆動手段１４および表示部５が実行する。
【００５６】
ステップＳ３では、ダイレクトキー情報の出力の有無を判定し、ダイレクトキー情報の出力がある場合にはステップＳ４に移行する。一方、ダイレクトキー情報の出力がない場合にはステップＳ３に戻り待機する。なお、ステップＳ３の動作は、表示制御手段１０が実行する。
【００５７】
ステップＳ４では、ダイレクトキー情報が出力された場合には、該当するページ番号を発生する。なお、ステップＳ４の動作は、表示制御手段１０が実行する。
【００５８】
ステップＳ５では、ページ番号に対応した指定ページ画面を表示する。なお、ステップＳ５の動作は、表示制御手段１０、表示データ記憶手段１３、表示駆動手段１４および表示部５が実行する。
【００５９】
このように、この発明に係る端末装置のページ画面切替え方法は、複数ページ分のページデータをインストールして記憶するステップ１と、ページ画面に指定するページ画面へ復帰するダイレクトキーを登録するステップ２と、ダイレクトキー情報の出力を判定するステップ３と、ダイレクトキー情報が出力された場合には、該当するページ番号を発生するステップ４と、ページ番号に対応した指定ページ画面を表示するステップ５とを備え、ダイレクトキーのワンタッチ操作で、指定ページ画面に切替え表示するので、任意のページ画面から使用頻度の高い特定ページ画面へ復帰することができ、操作性に優れ、作業効率を向上させることができる。
【００６０】
【発明の効果】
以上説明したように、この発明に係る端末装置は、表示器とハードキーを対にして表示・操作キーとし、複数の表示・操作キーに回線選択キーやオートダイヤルキーを設定して１ページ画面を形成するとともに、複数の表示・操作キーを兼用して複数ページ画面に切替え可能な表示部を備えた端末装置であって、複数ページ画面の表示・操作キーに、使用頻度の高い特定ページ画面へワンタッチで復帰可能なダイレクトキーを設定するキー設定手段を備えたので、複数の任意ページ画面にダイレクトキーを設定し、ダイレクトキーをワンタッチ操作より、任意のページ画面から使用頻度の高い特定ページ画面へ復帰することができ、操作性に優れ、作業効率を向上させることができる。
【００６１】
また、この発明に係るキー設定手段は、ダイレクトキー名称を入力する設定入力手段と、キーインタフェース手段と、キーインタフェース手段から供給されるダイレクトキー名称を処理する表示制御手段と、ページ番号に対応した複数のページデータを記憶する表示データ記憶手段と、表示データ記憶手段に記憶されたページデータを表示データに変換し、表示・操作キーの表示器に表示データを駆動する表示駆動手段とを備えたので、任意のページ番号のページデータにダイレクトキーを設定し、任意ページ画面の表示・操作キーにダイレクトキーを表示するとともに、表示されたダイレクトキーをワンタッチ操作することにより、ダイレクトキーに表示されたページ画面を表示することができ、操作性に優れ、作業効率を向上させることができる。
【図面の簡単な説明】
【図１】この発明に係る端末装置が適用される構内交換システムの構成図
【図２】この発明に係る端末装置の一実施の形態要部盤面図
【図３】この発明に係る端末装置のキー設定手段の一実施の形態要部ブロック構成図
【図４】この発明に係るページ画面切替えのページ送り／ページ戻しの説明図
【図５】この発明に係るページ画面切替えのメニューキーによるページ切替えの説明図
【図６】この発明に係るページ画面切替えのダイレクトキーによるページ切替えの説明図
【図７】この発明に係るページ画面切替え方法の動作フロー図
【符号の説明】
１  構内交換システム
２  構内交換機
３  端末装置
４  データ管理装置
５  表示部
６  ハンドセット
７  ダイヤルキー
７ｘ  機能キー
８  表示・操作キー
８ａ  表示器
８ｂ  ハードキー
９  キー設定手段
１０  表示制御手段
１１  設定入力手段
１２  キーインタフェース手段
１３  表示データ記憶手段
１４  表示駆動手段
１５  表示データ受信手段
１６  ページ画面
１７  メニュー画面
【図１】
0004083411.tif 000002
【図２】
0004083411.tif 000003
【図３】
0004083411.tif 000004
【図４】
0004083411.tif 000005
【図５】
0004083411.tif 000006
【図６】
0004083411.tif 000007
【図７】
0004083411.tif 000008